(57)【要約】      （修正有）【課題】光源からの光線を有効に分配して暗区を消去する直下型バックライトモジュールのライトガイド構造を提供する。【解決手段】直下型バックライトモジュールのライトガイド構造３３は、内から外に向かって反射カバー１０、複数の光源２０、拡散板３０、数枚の光学膜片４０及び液晶面板５０を順に設置する。そのうち、拡散板の入光面３１及び出光面３２上に複数個のライトガイド構造３３を成形し、光源の光線が拡散板のライトガイド構造を通過するように設置する。通過した光線は少なくとも二回のライトガイド構造の拡散を経るため、より有効に光源の光線を分配する。【選択図】図２
0003114466.tif 000002
【実用新案登録請求の範囲】
【請求項１】
内から外に向いて反射カバー、複数の光源、拡散板、数枚の光学膜片及び液晶面板が順に設置されるバックライトモジュールである直下型バックライトモジュールのライトガイド構造において、
拡散板は、入光面及び出光面に複数個のライトガイド構造が成形され、この光源の光線は液晶面板に入る前に、拡散板のライトガイド構造によって、少なくとも二回の拡散を経るため、光源の光線が有効に分配されることを特徴とする直下型バックライトモジュールのライトガイド構造。
【請求項２】
前記各光源は、直線状もしくはＵ字型もしくはその他連続湾曲形状のライト管で、適する間隔で反射カバーと拡散板の間に設置されることを特徴とする請求項１記載の直下型バックライトモジュールのライトガイド構造。
【請求項３】
前記各ライトガイド構造は、一体で当部位の突出構造として構成されることを特徴とする請求項１記載の直下型バックライトモジュールのライトガイド構造。
【請求項４】
前記各ライトガイド構造は、一体で当部位の凹形状として構成されることを特徴とする請求項１記載の直下型バックライトモジュールのライトガイド構造。
【請求項５】
前記各ライトガイド構造は、一体で当部位のＵ字型もしくはＶ字型形状として構成されることを特徴とする請求項１記載の直下型バックライトモジュールのライトガイド構造。
【請求項６】
前記各ライトガイド構造は、その間隔が１ｍｍより小さいか、もしくは同じであることを特徴とする請求項１記載の直下型バックライトモジュールのライトガイド構造。
【請求項７】
前記各ライトガイド構造は、その高さが０．５ｍｍより小さいか、もしくは同じであることを特徴とする請求項３記載の直下型バックライトモジュールのライトガイド構造。
【請求項８】
前記各ライトガイド構造は、その深さが0.5mmより小さいか、もしくは同じであることを特徴とする請求項4記載の直下型バックライトモジュールのライトガイド構造。
【考案の詳細な説明】
【技術分野】
【０００１】
本考案は、バックライトモジュールのライトガイド構造に関するもので、特に直下型に関するものである。
【背景技術】
【０００２】
一般の電子装置である液晶モニターは、実際の要求に従い、直下型もしくは側面光源型モジュールのアーキテクチャーを選択する。図1に示すのは、直下型バックライトモジュールの基本構造指示図である。この構造は、内から外へ反射カバー10、複数の光源20、拡散板30、複数枚の光学膜片40及び液晶面板50の順に設置する。そのうち、各光源20は直線状もしくはＵ字型もしくはその他連続湾曲形状とし、適する間隔で反射カバー10と拡散板30の間に設置する。液晶モジュールの表示効果は、各光源20から放出された光線によって構成される。市場でよく見られる拡散板30と液晶面板50の間の数枚の光学膜片40は、1〜3枚の拡散片、0〜2枚の増光片、0〜1枚の反射式偏光偏等が相互に合わさって構成され、その作用は通過した光線を拡散する。各光源の間隔部位では無光線区域が発生し、液晶モジュール上で明暗区現象が発生する。
【０００３】
しかし、拡散板30の作用だけでは通過した光線が均一に放出され、液晶モジュール上の明暗区を改善するのに限界がある。そのため、一部のバックライトモジュールでは、故意に光源20と拡散板30の間隔を広げ、光源20が拡散板30に入る範囲を広げて暗区の形成を縮小している。しかし、この構造でも効果が良好ではなく、バックライトモジュールの厚みが増すため、今日の液晶モジュールの薄型化に逆行する。
【考案の開示】
【考案が解決しようとする課題】
【０００４】
解決しようとする問題点は、各光源の間隔部位では無光線部位が発生し、液晶モジュール上で明暗区の現象が発生する点であり、改善のため、光源と拡散板の間を広げると、液晶モジュール全体の厚みが増し、薄型化の流れと逆行する点である。
【課題を解決するための手段】
【０００５】
本考案は、内から外に向かって反射カバー、複数の光源、拡散板、数枚の光学膜片及び液晶面板を順に設置する。そのうち、拡散板の入光面及び出光面上に複数個のライトガイド構造を成形し、光源の光線が拡散板のライトガイド構造を通過するように設置する。通過した光線は少なくとも二回のライトガイド構造の拡散を経るため、より有効に光源の光線を分配することを最も主要な特徴とする。
【考案の効果】
【０００６】
本考案の直下型バックライトモジュールのライトガイド構造は、光源からの光線を有効に分配して暗区を消去するという利点がある。
【考案を実施するための最良の形態】
【０００７】
図2に示すとおり、直下型バックライトモジュールは反射カバー10、複数の光源20、拡散板30、数枚の光学膜片40及び液晶面板50を順に設置する。
そのうち、光学膜片40は1〜3枚の拡散片、0〜2枚の増光片、0〜1枚の反射式偏光片等が合わさって構成される。各光源20は直線状もしくはＵ字型もしくはその他連続湾曲形状のライト管で、適する間隔で反射カバー10と拡散板30の間に設置される。液晶モジュールのモニター効果は各光源20が放出した光線から構成される。
【０００８】
拡散板30には入光面31と出光面32があり、そこに複数のライトガイド構造33が成形される。当実施例中、各ライトガイド構造33の間隔は１ｍｍより小さいか、もしくは同じである。このように各光源20の光線は、液晶面板50に入る前に、拡散板30のライトガイド構造33の設置によって、通過した光線が少なくとも二回のライトガイド構造33の拡散作用を受け、バックライトモジュールに予定の輝度を表示し、各光源の間の暗区を消去し、より有効に光源の光線を分配する。
【０００９】
図2及び図3に示すとおり、各ライトガイド構造33は図に示すとおり、Ｖ字型の突出構造で、当実施例中、各ライトガイド構造33の高さが０．５ｍｍより小さいか同じであり、もしくは複数個のＶ字型溝が凹形状(図3参照)で各ライトガイド構造の深さが０．５ｍｍより小さいか同じである。この突出構造もしくは凹形状の構造を一体として配置部位に設置する。この時、突出構造もしくは凹形状の他、異なる幾何学形状の構造体でもよく、図4に示すとおり、Ｕ字型ライトガイド構造でも光線の拡散作用は同じ効果を得る。
【図面の簡単な説明】
【００１０】
【図１】公知の直下型バックライトモジュールの構造指示図である。
【図２】本考案の直下型バックライトモジュールの応用配置状態図である。
【図３】本考案の拡散板の立体分解図である。
【図４】本考案の別の拡散板の立体分解図である。
【符号の説明】
【００１１】
10  反射カバー
20  光源
30  拡散板
31  入光面
32  出光面
33  ライトガイド構造
40  光学膜片
50  液晶面板
【図１】
0003114466.tif 000003
【図２】
0003114466.tif 000004
【図３】
0003114466.tif 000005
【図４】
0003114466.tif 000006